(57)【特許請求の範囲】
【請求項１】
基台に立設された支柱とこの支柱の上端にはカキドオシの植え込み鉢を載置させるための台座を設け、その台座よりも下方に少なくとも２段の高さに水受け樋をそれぞれ前記支柱に固着した樋受け部材に固着し、前記水受け樋は溶液放出口を備えると共に該溶液放出口に向かって下り傾斜となっており、更に、前記それぞれの水受け樋に対して給水のための給水手段を設けたことを特徴とする生長過程のカキドオシの茎から溶液を採取する装置。
【請求項２】
溶液放出口の下方に溶液の取り込み手段及び溶液タンクを設けたことを特徴とする請求項１記載の生長過程のカキドオシの茎から溶液を採取する装置。
【請求項３】
水受け樋が曲線状であることを特徴とする請求項１又は請求項２のいずれかに記載の生長過程のカキドオシの茎から溶液を採取する装置。
【請求項４】
水受け樋が直線状であることを特徴とする請求項１又は請求項２のいずれかに記載の生長過程のカキドオシの茎から溶液を採取する装置。
【発明の詳細な説明】
【技術分野】
【０００１】蔓性の植物であるカキドオシの茎から溶液を採取する装置に関する。
【背景技術】
【０００２】  生長過程のカキドオシの茎を水中に浸漬し、浸漬した水である水溶液を水虫に用いることは知られている。しかし、生長過程のカキドオシの茎から溶掖を採取する装置は知られていない。
【発明の概要】
【発明が解決しようとする課題】
【０００３】  上記したように生長過程のカキドオシの茎から溶液を採取するためには手作業による他はなく、溶液を採取するとしても非常に効率の悪いものであった。
【課題を解決するための手段】
【０００４】  本発明の、請求項１としては、基台に立設された支柱とこの支柱の上端にはカキドオシの植込鉢を載置させるための台座を設け、その台座よりも下方に少なくとも２段の高さに水受け樋をそれぞれ前記支柱に固着した樋受け部材に固着し、前記水受け樋は溶液放出口を備えると共に該溶液放出口に向かって下り傾斜となっており、更に、前記それぞれの水受け樋に対して給水の為の給水手段を設けたことを特徴とする生長過程のカキドオシの茎から溶液を採取する装置である。
請求項２としては、溶液放出口の下方に溶液の取り込み手段及び溶液タンクを設けたことを特徴とする請求項１記載の生長過程のカキドオシの茎から溶液を採取する装置である。
請求項３としては、水受け樋が曲線状であることを特徴とする請求項１又は請求項２のいずれかに記載の生長過程のカキドオシの茎から溶液を採取する装置である。
請求項４としては、水受け樋が直線状であることを特徴とする請求項１又は請求項２のいずれかに記載の生長過程のカキドオシの茎から溶液を採取する装置である。
【発明の効果】
【０００５】  本発明により生長過程のカキドオシの茎から溶液を採取することが容易に可能となり、又、人手をかけずに効率よく行うことができるようになった。
【図面の簡単な説明】
【０００６】
【図１】一実施例を示す視斜図である。
【図２】他の実施例を示す正面図である。
【図３】図２の右側図面である。
【図４】図２のＡーＡ’断面図である。
【発明を実施するための形態】
本発明について以下図１〜図４に基づいて実施例を説明する。
【実施例】
【０００７】  図１は一実施例を示す斜視図である。基台の５の上に、高さ１ｍの支柱４をほぼ垂直に設ける。
この支柱４の上端には直径３００ｍｍの台座１が固着されており、この台座１に生長過程のカキドオシの植え込み鉢２を載せる。この台座１の下方には２段の水受け樋６を支柱４に放射状に設けた４本の樋受け部材８にそれぞれ固着してある。この水受け樋６は塩ビ製の幅２００ｍｍ、深さ１００ｍｍの樋であり、上段の樋は外径５００ｍｍ、下段の樋は外径７００ｍｍとなっている。【０００８】  それぞれの水受け樋６には、溶液放出口７が１か所設けられている。そして、水受け樋６は溶出口７の方に向かって緩やかに下がり傾斜となっている。必要に応じて、溶液放出口７の下方には溶液取り込み手段１０としての蛇口及び溶液タンク１１を設けると良い。又、前記２段の水受け樋６のそれぞれには給水手段９としての蛇口が設けられている。この実施例は請求項３に対応したものである。【０００９】  このように構成された装置の台座１上に、生長過程のカキドオシの植え込み鉢２を載せる。そして、カキドオシの茎を水が満たされた２段の水受け樋６のそれぞれに浸漬させる。浸漬されたカキドオシの先端約２００ｍｍは樋の外に出す。所要日数浸漬された後にカキドオシの茎からエキスを溶出した水溶液は、溶液放出口７と、その下方に設けられた蛇口から取出し溶液タンク１１に取り込む。この水溶液は、その後所用の処理をされて水虫薬として使用されることとなる。
他の実施例について図２〜図４を使って説明する。この実施例は請求項４に対応するものである。【００１０】  図１の使い方について詳しく説明をする。最上段に設けた植木鉢に赤玉土等を入れ、噴霧パイプ１０で水を落とし、この植木鉢にはカキドオシが密に植えてあり一定時間で植木鉢への噴霧する、それぞれ水受鉢は７で連結されており、途中のバルブ４にて開閉する構造に成っている、バルブ１８は給水パイプの開閉を受け持ち、水受樋６・７の水量を調整する構成になっている、一連の調整はバルブ１８にて行うことで、スムーズな液等の加減が行える。【００１１】  図２の使用法を概略説明すると、導水パイプ１９にて噴霧された水と給水パイプ１６にて流れ込む水は同様のタンクで別途送水され、植木樋１水タンク２０へ注ぐ、さらに、この水は２１を通じて水受樋６に流れ込む、これらの水がいずれも本発明の溶液となってタンク１３へ送られるが、開閉はバルブ２２等で行う最終的には溶液タンク１３へ流れ込むことで本装置の一端を担う。【００１２】  図３は図２の右側面図である。最上段に設けたパイプは噴霧パイプと水の流水パイプ、その下部に植木樋があり、この樋はフレームに乗せられている、その下段のフレームの両端にそれぞれ水受樋があり、カキドオシを束ねて投入することで目的を達する。目的とは溶液の溶出であり、これに数十日を漬け置くことで自然に溶液が溶出されることに成る。この樋には流水パイプと流出用のパイプが設けられそれぞれタンクへ送り込まれ排出される構成にしている。流入・抽出の制御はバルブで行う、簡単に示した本構成が図３である。【００１３】  図４は図２のＡ−Ａ’断面の拡大図である。機能と構造については図２と全く同一の働きをするが図２で漏れた説明を記した、つまりゲージ２３は水容量を表し５は基礎を表す、２２は溶液タンクへ導くパイプバルブを中継して設けられている２番と称する水受樋に流入するパイプ・流水するパイプは設けていないが６番と同様の機能を持たせた水受樋である。以上が図４の補足説明である。
【産業上の利用可能性】
【００１４】  カキドオシの茎から水虫薬を採取する産業において活用できる装置である。
【符号の説明】
【００１５】１      台座
２      植込鉢、及び植込樋
３      カキドオシ
４      支柱
５      基台
６      水受け樋
７      溶液放出口
８      樋受け部材
９      給水手段
１０    溶液取り込み手段
１１    溶液タンク
１２    ローフ
１３    溶液タンク
１４    給水タンク
１５    ローラ
１６    給水パイプ
１７    バウチング
１８    バルブ
１９    噴霧パイプ
２０    給水タンク
２１    水流出パイプ
２２    溶液取出パイプ
２３    ゲージ
【図１】
0005396610.tif 000002
【図２】
0005396610.tif 000003
【図３】
0005396610.tif 000004
【図４】
0005396610.tif 000005